(57)【要約】【課題】反射フィルムへの押圧力により発生するしわが残らないようにすることで、均一な反射を得ることができるバックライトユニットを提供する。【解決手段】バックライトユニット１は光源となる線状光源装置７と、線状光源装置７からの光を一側面から入射し、照明光として主発光面から出射する導光板６と、主発光面とは反対側となる背面側に設けられ、導光板６からの光を反射面３１にて反射する反射フィルム３と、導光板６の側面周囲を囲うように形成され、反射フィルム３の反射面３１側に配置された額縁状のケース枠５とを備えている。ケース枠５は、反射フィルム３の反射面３１と当接する凸状の脚部５１ａが設けられている。この脚部５１ａは、円柱状に形成されているのが望ましい。【選択図】図４
2009252537.tif 000002
【特許請求の範囲】
【請求項１】
光源となる発光装置と、
前記発光装置からの光を一側面から入射し、照明光として主発光面から出射する導光板と、
前記主発光面とは反対側となる背面側に設けられ、前記導光板からの光を反射面にて反射する反射フィルムと、
前記導光板の側面周囲を囲うように形成され、前記反射フィルムの反射面側に配置された額縁状のケース枠とを備えたバックライトユニットにおいて、
前記ケース枠は、前記反射フィルムの反射面と当接する凸状の脚部が設けられていることを特徴とするバックライトユニット。
【請求項２】
前記脚部は、円柱状に形成されている請求項１記載のバックライトユニット。
【発明の詳細な説明】
【技術分野】
【０００１】
本発明は、導光板を収納する額縁状のケース枠と、導光板からの光を導光板の背面側から反射する反射フィルムとを備えたバックライトユニットに関する。
【背景技術】
【０００２】
バックライトユニットは、導光板の側面周囲を囲うケース枠に、基板に搭載した点光源である発光素子を導光板の一側面を照射するように配置して、導光板の一側面から照射光を入射させ、導光板の主照射面から出射させることでＬＣＤなどの表示パネルを明るく照らす面発光装置として機能している。
【０００３】
このようなバックライトユニットが特許文献１に記載されている。特許文献１には、発光装置である白色発光ユニットと、反射板と、導光板と、光学シートと、ケース枠である額縁状のモールドフレームと、白色光発生ユニット、導光板、３枚の光学シートおよびモールドフレームを収納する収納容器とを備えたバックライトアセンブリーが記載されている。
【特許文献１】特開２００６−１０８６０６号公報
【発明の開示】
【発明が解決しようとする課題】
【０００４】
特許文献１のバックライトアセンブリーでは、モールドフレームが上部に配置される光学シートを収納して支持し、下部に導光板を収納して支持すると記載されている。モールドフレームが導光板を下部に収納して支持するとは、詳細な説明や図面から判然とせず、モールドフレームと導光板との位置関係やモールドフレームがどのような形状であるかが不明であるが、反射板が収納容器の底板上に配置されるので、少なくともモールドフレーム（ケース枠）の底面が反射板（反射フィルム）上に接しているものと思われる。
【０００５】
このように構成されたバックライトユニットを液晶パネルの背面側に配置した表示装置では、液晶パネルの表示面を押圧すると、この押圧力によって反射フィルムにしわが寄り、押圧力を解除してもしわが残ることで均一な反射が得られなくなるという問題が発生する。これは、額縁状に形成されたケース枠が反射フィルムの周縁部を上からしっかりと押さえ込んでいるため、押圧力が光学シートから導光板へと順次伝搬し、最後に反射フィルムの中央部に達したときに反射フィルムが中央部から周囲に向かって延びるが、ケース枠によって延びが阻止され、延びの逃げる場所がなくなることでしわが残ってしまうことによるものである。
【０００６】
そこで本発明は、反射フィルムへの押圧力により発生するしわが残らないようにすることで、均一な反射を得ることができるバックライトユニットを提供することを目的とする。
【課題を解決するための手段】
【０００７】
本発明のバックライトユニットは、反射フィルム上に位置するケース枠の底面に、凸状の脚部を設けたことを特徴とする。
【発明の効果】
【０００８】
本発明のバックライトユニットは、導光板が撓むことで反射フィルムが押圧されても、脚部によってできる隙間部分の反射フィルムが延びることで、押圧力を分散させることができる。従って、本発明のバックライトユニットは、反射フィルムへの押圧力により発生するしわが残らないので、均一な反射を得ることができる。
【発明を実施するための最良の形態】
【０００９】
本願の第１の発明は、光源となる発光装置と、発光装置からの光を一側面から入射し、照明光として主発光面から出射する導光板と、主発光面とは反対側となる背面側に設けられ、導光板からの光を反射面にて反射する反射フィルムと、導光板の側面周囲を囲うように形成され、反射フィルムの反射面側に配置された額縁状のケース枠とを備えたバックライトユニットにおいて、ケース枠は、反射フィルムの反射面と当接する凸状の脚部が設けられていることを特徴としたものである。
【００１０】
本発明のバックライトユニットは、反射フィルムの反射面側に配置されるケース枠に、反射フィルムの反射面と当接する凸状の脚部が設けられているので、脚部以外のケース枠と反射フィルムとの間には隙間ができた状態である。従って、導光板が撓むことで反射フィルムが押圧されても、この隙間部分の反射フィルムが延びることで押圧力が分散される。従って、反射フィルムに押圧力が付与されても、反射フィルムにしわが残ってしまうことを防止することができる。
【００１１】
本願の第２の発明は、第１の発明において、脚部は、円柱状に形成されていることを特徴としたものである。
【００１２】
反射フィルムの延びは脚部が当接する部分にも寄るので、脚部に寄るしわの発生が心配される。しかし、脚部は円柱状に形成されているので、脚部の周囲面は円弧面である。従って、反射フィルムの延びが脚部の周囲面の一点に集中することなく円弧面に分散するので、脚部に寄るしわ残りを緩和させることができる。
【００１３】
（実施の形態）
本発明の実施の形態に係るバックライトユニットを、図面に基づいて説明する。図１は、本発明の実施の形態１に係るバックライトユニットの分解斜視図である。図２は、図１に示すバックライトユニットに用いられる線状光源装置を示す斜視図である。図３は、図１に示すバックライトユニットに用いられるケース枠を示す斜視図である。なお、本明細書中では、液晶パネルが配置される側を上、その反対側を下として説明する。
【００１４】
図１に示すように、バックライトユニット１は、金属ケース２と、反射フィルム３と、固定シート４と、ケース枠５と、導光板６と、線状光源装置７と、反射シート８と、調光フィルム９と、遮光シート１０とを備え、液晶パネル（図示せず）の背面に配置される。
【００１５】
金属ケース２は、矩形状の平板である平板部２１と、平板部２１の周縁部から立設された周壁部２２とにより形成されたトレイ状のケース台である。本実施の形態ではケース台を金属製である金属ケース２としているが、樹脂製とすることも可能である。
【００１６】
反射フィルム３は、金属ケース２内に収納される矩形状のフィルムである。導光板６の底面からの光を、反射面３１で導光板６側へ反射させる機能を有している。反射フィルム３としては、ＰＥＴ（Polyethylene Terephthalate）樹脂を用いた多層膜構造により可視光範囲において高い反射率を有するＥＳＲ（Enhanced Specular Reflector）などが使用できるが、金属光沢などにより導光板６からの光を反射可能なものであれば、他の材質のものでもよい。
【００１７】
固定シート４は、金属ケース２に線状光源装置７を固定するためのテープである。この固定シート４は、反射フィルム３に接着する台形部４１と、台形部４１から突出して形成され、線状光源装置７に接着する固定凸部４２とが形成されている。
【００１８】
ケース枠５は、平板部２１に載置された導光板６と周壁部２２との間に配置され、導光板６の側面を保持する略コ字状の枠部５１と、線状光源装置７を収納するための枠部５１の一部が切り欠かれた切欠部５２とが形成されたものである。本実施の形態では、ケース枠５を略コ字状としているが、切欠部５２が省略されたロ字状としてもよい。ケース枠５の枠部５１には、図３に示すように、反射フィルム３に向いた面（下面）に凸状の脚部５１ａが設けられている。この脚部５１ａは円柱状に形成され、枠部５１に所定の間隔に離間させて４個程度配置されている。この脚部５１ａの数量は、適宜決定することができる。
【００１９】
導光板６は、略矩形状に形成され、線状光源装置７からの光が側面から入射され、照明光として主発光面から出射するもので、例えば、アクリル樹脂やポリカーボネート樹脂によって０．３〜０．６ｍｍ程度の厚みに形成された、透明または半透明の板状体である。
【００２０】
線状光源装置７は、図２に示すように、基板７１と、発光素子７２と、反射部７３と、樹脂封止部７４と、プリント配線基板７５を備えた発光装置である。
【００２１】
基板７１は、角棒状の絶縁基板に配線パターンが形成された配線基板である。絶縁基板としては、ガラスエポキシ系樹脂や、ＢＴレジン（ビスマレイミドトリアジン樹脂系の熱硬化樹脂）などで形成することができる。
【００２２】
発光素子７２は、半導体で形成された導電性の基板や、サファイアなどで形成された絶縁性の基板に、発光層を含む半導体層を積層することで形成されたもので、基板７１の搭載面に搭載されている。
【００２３】
反射部７３は、発光素子７２の両側に位置した２つの部材により形成されている。この反射部７３における発光素子７２に向いたそれぞれの面は、発光素子７２からの光を導光板６（図１参照）の方向へ反射するために、基板７１側から先側に向かって間隔が徐々に広くなる傾斜面となっている。
【００２４】
樹脂封止部７４は、それぞれの反射部７３の間に位置する発光素子７２をエポキシ系樹脂で封止したものである。線状光源装置７は、発光素子７２と樹脂封止部７４とで光源部が構成されている。そして、この光源部が基板７１に４つ設けられている。樹脂封止部７４には、必要に応じて発光素子７２からの光に励起されて波長変換した光を発光する蛍光体を含有させることができる。例えば、発光素子７２が青色に発光するものであれば、蛍光体を青色の補色となる黄色に発光するものとすることで、青色と黄色とが混色して白色に発光する光源部とすることができる。
【００２５】
プリント配線基板７５は、基板７１の一方の端部に接続された接続部７５１と、電源を供給するコネクタと接続する略Ｌ字状の配線部７５２とを備え、可撓性を有するフレキシブル基板で形成されている。プリント配線基板７５は、接続部７５１に形成された端子が基板７１に設けられた電極に半田Ｂにより導通接続されていることで、基板７１に固着されている。
【００２６】
図１に示すように反射シート８は、線状光源装置７の基板７１に沿って貼り付けられることで、発光素子７２から光を導光板６の方向へ反射するものである。
【００２７】
調光フィルム９は、拡散フィルム９１と、第１プリズムフィルム９２と、第２プリズムフィルム９３とで構成されている。拡散フィルム９１は、ポリエステル（ＰＳ）樹脂やポリカーボネート（ＰＣ）樹脂で、表面がすりガラスのように粗面に形成されたものである。第１，第２プリズムフィルム９２，９３は、ポリエステル樹脂の表面にアクリル樹脂からなる三角条（線状三角凸部）が形成されたプリズム面を有している。このプリズム面は断面視で鋸歯形状に形成されている。第１，第２プリズムフィルム９２，９３は、条方向が互いに略直交する向きに重なるように配置されている。
【００２８】
遮光シート１０は、第２プリズムフィルム９３上に、線状光源装置７上に対応させて貼り付けられた不透過性を有するシートである。
【００２９】
次に、バックライトユニット１の各部材を配置する方法と、バックライトユニット１が押圧されたときの状態を、更に図４を参照しながら詳細に説明する。図４は、図１に示すバックライトユニットの一部の断面斜視図である。
【００３０】
図１および図４に示すように、反射フィルム３を、金属ケース２の平板部２１の上面に配置する。反射フィルム３は平板部２１とほぼ同じ大きさなので、反射フィルム３を平板部２１上に配置すると平板部２１の全面を覆う。
【００３１】
次に、反射フィルム３の端部の上面に固定シート４を貼り付けた後、線状光源装置７を配置し、導光板６を内側に配置したケース枠５を反射フィルム３の反射面３１上に配置する。次に、反射シート８を線状光源装置７と導光板６の主発光面（上面）の端部とに跨るように貼り付けて、線状光源装置７の下面を固定シート４で固定しつつ、上面を反射シート８で更に固定する。
【００３２】
そして、３種類の調光フィルム９をケース枠５の内側であり、導光板６の上面に配置する。最後に、遮光シート１０を調光フィルム９の最上面に位置する第２プリズムフィルム９３上に貼り付けることで、バックライトユニット１とすることができる。
【００３３】
このように配置されたバックライトユニット１は、前記したように液晶パネルの背面側に配置される。そのとき、液晶パネルの表示面の中央部を押圧すると、その応力により液晶パネルは中央部を中心に凹状に撓む。そして、この撓みは液晶パネルの背面に配置されたバックライトユニット１の調光フィルム９、導光板６および反射フィルム３と順次押圧する。
【００３４】
調光フィルム９は導光板６へ、導光板６は反射フィルム３へと撓み押圧することで、押圧力が分散される。金属ケース２の平板部２１により凹状に撓むことができない反射フィルム３は、中心から周囲に向かって広がる方向に延びる。反射フィルム３の周縁部はケース枠５によって固定されているが、脚部５１ａによって部分的な接触となっているので、脚部５１ａ同士の間において反射フィルム３は固定されていない状態である。つまり、反射フィルム３は、脚部５１ａ間の隙間部分から、周囲に広がるように延びることができる。
【００３５】
そして、液晶パネルの押圧が解除されると、液晶パネル、調光フィルム９、および導光板６と順次撓みが回復すると共に、反射フィルム３の延びが復元する。従って、反射フィルム３にしわを残すことなく元の状態に戻すことができる。
【００３６】
このように、反射フィルム３の反射面３１の周縁部を上からしっかりと押さえ込むケース枠５の下面に、反射フィルム３と部分的に接触する脚部５１ａを設けることで、反射フィルム３にしわが残ることが防止できるので、反射フィルム３による均一な反射を得ることができる。
【００３７】
反射フィルム３の延びは脚部５１ａが当接する部分にも寄るので、脚部５１ａに寄るしわの発生が心配される。しかし、脚部５１ａは円柱状に形成されているので、脚部５１ａの周囲面は円弧面である。従って、反射フィルム３の延びは、脚部５１ａの周囲面の一点に集中することなく円弧面に分散するので、脚部５１ａに寄るしわ残りを緩和させることができる。
【００３８】
なお、本実施の形態では、光源として複数の発光素子７２を長尺状の基板７１に沿って搭載した線状光源装置７を使用しているが、例えば、フレキシブル基板に、サイドビュータイプのＬＥＤを複数配置したものでもよい。
【００３９】
また、ケース枠５に設けられた脚部５１ａは、円柱状の他に半球状としてもよい。半球状であれば反射フィルム３と点接触するので、しわ残りを緩和することができる。
【産業上の利用可能性】
【００４０】
本発明は、反射フィルムへの押圧力により発生するしわが残らないようにすることで、均一な反射を得ることができるので、導光板を収納する額縁状のケース枠と、導光板からの光を導光板の背面側から反射する反射フィルムとを備えたバックライトユニットに好適である。
【図面の簡単な説明】
【００４１】
【図１】本発明の実施の形態１に係るバックライトユニットの分解斜視図
【図２】図１に示すバックライトユニットに用いられる線状光源装置を示す斜視図
【図３】図１に示すバックライトユニットに用いられるケース枠を示す斜視図
【図４】図１に示すバックライトユニットの一部の断面斜視図
【符号の説明】
【００４２】
１  バックライトユニット
２  金属ケース
３  反射フィルム
４  固定シート
５  ケース枠
６  導光板
７  線状光源装置
８  反射シート
９  調光フィルム
１０  遮光シート
２１  平板部
２２  周壁部
３１  反射面
５１  枠部
５１ａ  脚部
５２  切欠部
７１  基板
７２  発光素子
７３  反射部
７４  樹脂封止部
７５  プリント配線基板
９１  拡散フィルム
９２  第１プリズムフィルム
９３  第２プリズムフィルム
７５１  接続部
７５２  配線部
【図１】
2009252537.tif 000003
【図２】
2009252537.tif 000004
【図３】
2009252537.tif 000005
【図４】
2009252537.tif 000006